(57)【要約】【課題】  適量の液を介して、ハブにテープを確実に貼り付けることができるテープの貼付装置貼付方法を提供することを課題とする。【解決手段】  開口部Ｃ１が形成されたカートリッジケースＣ内のリールＣＲのハブＨに磁気テープＭＴの先端部ＭＴ１を貼り付けるテープの貼付装置２０であって、前記カートリッジケースＣを設置するケース設置部２１と、ケース設置部２１に設置されたカートリッジケースＣ内に開口部Ｃ１を通ってハブＨの近傍まで進退自在なテープ先端部搬送手段２２と、を備え、テープ先端部搬送手段２２は、磁気テープＭＴを保持する第１の吸着部２４と、この第１の吸着部２４より先端側に形成され、貼付用の液体を含んだスポンジ２８が載置されるスポンジ載置部２３と、第１の吸着部２４より後端側に配設されるスポンジ２７と、を有することを特徴とする。【選択図】      図３
2005322353.tif 000002
【特許請求の範囲】
【請求項１】
開口部が形成されたカートリッジケース内のリールのハブにテープの先端部を貼り付けるテープの貼付装置であって、
前記カートリッジケースを設置するケース設置部と、
前記ケース設置部に設置されたカートリッジケース内に開口部を通って前記ハブの近傍まで進退自在なテープ先端部搬送手段と、
を備え、
前記テープ先端部搬送手段は、前記テープを保持する保持部と、この保持部より先端側に形成され、貼付用の液体を含んだ第１のスポンジが載置されるスポンジ載置部と、前記保持部より後端側に配設される弾性部材と、を有することを特徴とするテープの貼付装置。
【請求項２】
前記弾性部材は第２のスポンジであることを特徴とする請求項１に記載のテープの貼付装置。
【発明の詳細な説明】
【技術分野】
【０００１】
本発明は、磁気テープカートリッジの組立ラインにおいて使用されるテープの貼付装置に関し、詳しくは、カートリッジケース内のリールのハブにテープの先端部を貼り付けるテープの貼付装置に関するものである。
【背景技術】
【０００２】
従来、コンピュータ等のデータバックアップ用の外部記録媒体として、磁気テープカートリッジが知られている。この種の磁気テープカートリッジは、カートリッジケースの内部に磁気テープを巻装する単一のリールや、その他の部分を収容したものであり、カートリッジケースの側壁部分には、磁気テープを引き出すための開口部が形成されている。
【０００３】
磁気テープカートリッジの組立工程の最終段階では、カートリッジケース内のリールのハブに磁気テープを巻き取るようになっているが、巻き取り始める際、磁気テープの先端部をハブに確実に貼り付ける必要がある。そこで、従来、磁気テープの先端部を貼り付けるための巻取装置が種々提案されている（例えば、特許文献１参照）。
【０００４】
特許文献１に記載の巻取装置は、磁気テープを真空吸着しながら、かつ、カートリッジケース内に向けて進退自在なテープ先端部搬送手段と、カートリッジケース外でテープ先端部搬送手段の先端部近傍に臨むように配設され、シリンダのピストンロッド等を通して水が供給される毛細管を備える。この巻取装置は、リールを水で濡らすことで、磁気テープを貼り付けやすくするものであり、その動作は以下のとおりである。
【０００５】
まず、カートリッジケース外で、テープ先端部搬送手段に真空吸着された磁気テープの先端部に、毛細管から１滴の水を配置する。そして、カートリッジケースの開口部からその内部に向けてテープ先端部搬送手段を前進させて、磁気テープをカートリッジケース内のリールのハブ近傍まで搬送する。このように、ハブにテープ先端部搬送手段が近接した状態で、磁気テープの先端部の真空吸着を解除し、この先端部を、回転するハブに接触させるように吹き付ける。これにより、予め磁気テープの先端部に配置された１滴の水がリールと接触して広がり、濡れたハブに磁気テープを貼り付けられる。
【特許文献１】特表昭６３−５０１１０４号公報（第３頁右上欄第８行目〜右下欄第３行目、図１２）
【発明の開示】
【発明が解決しようとする課題】
【０００６】
しかしながら、前記した特許文献１に記載の装置では、毛細管で磁気テープの表面に１滴の水を配置するものであるため、その液量が調節しづらいという問題点があった。例えば、水が多量だと、ハブに余分な水滴がついてしまい、カートリッジケース内の不要な場所に水滴が付着するおそれがあった。また、水が少量だと、ハブに磁気テープが確実に貼り付けられないおそれがあった。さらに、テープを貼り付けるとき、ハブに単に吹き付けるだけなので、完全に貼り付け難く剥がれやすいという問題点もあった。その他、毛細管にはシリンダのピストンロッドで水を供給するため、機構が複雑になるという問題点があった。
【０００７】
そこで、前記した問題点を解決すべく、適量の液を介して、ハブにテープを確実に貼り付けることができるテープの貼付装置を提供することを課題とする。
【課題を解決するための手段】
【０００８】
前記課題を解決するため、請求項１に記載の発明は、開口部が形成されたカートリッジケース内のリールのハブにテープの先端部を貼り付けるテープの貼付装置であって、前記カートリッジケースを設置するケース設置部と、前記ケース設置部に設置されたカートリッジケース内に開口部を通って前記ハブの近傍まで進退自在なテープ先端部搬送手段と、を備え、前記テープ先端部搬送手段は、前記テープを保持する保持部と、この保持部より先端側に形成され、貼付用の液体を含んだ第１のスポンジが載置されるスポンジ載置部と、前記保持部より後端側に配設される弾性部材と、を有することを特徴とする。
【０００９】
請求項１に記載のテープの貼付装置によれば、まず、貼付用の液体を含んだ第１のスポンジ（多孔質体）をテープ先端部搬送手段のスポンジ載置部に載置する。そして、テープ先端部搬送手段にテープを保持させつつ、開口部からカートリッジケース内のリールのハブ近傍まで前進させる。そして、その先端側に載置された貼付用の液体を含んだ第１のスポンジをハブに接触させる。このようにして、ハブに適量の液体が塗布されたら、さらにテープ先端部搬送手段を前進させて、弾性部材とハブがテープを介して近接するように移動させる。このように、弾性部材でテープをハブに押し付けることで、ハブに塗布された液体がテープに馴染むとともに、ハブの形状に沿ってテープが押し付けられるので、テープをハブに貼り付けることができる。
なお、貼付用の液体としては、例えば、メタノール、エタノール、ＩＰＡ（イソプロパノール）等を好適に用いることができる。
【００１０】
請求項２に記載の発明は、請求項１に記載のテープの貼付装置において、前記弾性部材は第２のスポンジであることを特徴とする。
【００１１】
請求項２に記載のテープの貼付装置によれば、弾性部材が第２のスポンジ（多孔質体）であることから、この弾性部材でテープをハブに押し付けたとき、テープがハブの形状に馴染みやすく、貼り付けやすくなる。
【発明の効果】
【００１２】
このようなテープの貼付装置によれば、貼付用の液体をスポンジでハブに塗布することから、適量の液体を塗布することができる。また、弾性部材でテープをハブに押し付けるため、ハブに塗布された液体がテープに馴染むとともに、ハブの形状に沿ってテープがハブに押し付けられる。そのため、テープをハブに確実に貼り付けることができる。
【発明を実施するための最良の形態】
【００１３】
次に、本発明の実施形態について、適宜図面を参照しながら詳細に説明する。図１は、本発明のテープ貼付装置が設置されたワインダの概略図である。なお、本実施形態では、テープ貼付装置が、垂直に立設するワインダのパネルに設置された図１の状態を基準に上下左右の方向を定めて説明するものとする。
【００１４】
まず、本発明の貼付装置が設置されたワインダの構成について説明する。
図１に示すテープワインダＷは、いわゆるパンケーキ状の磁気テープＭＴを、所定の長さに切断した後、カートリッジケースＣ内に組み込まれているリールＣＲのハブＨに巻き取るための装置である。そして、このテープワインダＷには、カートリッジケースＣ内に組み込まれているリールＣＲのハブＨに、磁気テープＭＴの先端部ＭＴ１を貼り付けるためのテープ貼付装置２０が設置されている。
【００１５】
図１に示すように、テープワインダＷは、主に、テープ供給装置１０と、テープ貼付装置２０と、磁気テープＭＴの表面を研磨するブレード装置３０と、磁気テープＭＴの両面を清掃するクリーニング装置４０，４０と、走行中の磁気テープＭＴの張力を調整する張力調整装置５０と、ストックされているカートリッジケースＣをテープ貼付装置２０に供給するカートリッジケース供給部６０と、リールＣＲに磁気テープＭＴが巻回されたカートリッジケースＣを排出するカートリッジケース排出部７０とを備えて構成されている。また、磁気テープＭＴをテープ貼付装置２０まで案内するための複数のテープガイド８０がパネルＰの適所に配置されている。
なお、本実施形態では、テープ貼付装置２０はテープをハブに巻き取るための機能も有している。また、図中の１００は、テープワインダＷの運転を操作する操作盤である。
【００１６】
テープ供給装置１０は、テープ貼付装置２０に磁気テープＭＴを供給するための装置であり、パンケーキ状の磁気テープＭＴが巻回されたリールＲ１とリールＲ２とを有している。このテープ供給装置１０は、リールＲ１（またはＲ２）を、図示しないリール駆動装置によって所定の回転数で回転させ、テープ貼付装置２０に向けて磁気テープＭＴを送り出す。なお、テープ供給装置１０は、２つのリールＲ１，Ｒ２を有しているので、片方のリールＲ１の磁気テープＭＴがなくなったときは、リールＲ２に切り換えて、テープ貼付装置２０に磁気テープＭＴを連続的に供給するようになっている。
【００１７】
テープ貼付装置２０は、テープ供給装置１０から供給された磁気テープＭＴの先端部ＭＴ１をカートリッジケースＣ内のリールＣＲのハブＨに貼り付けるための装置であるとともに、磁気テープＭＴをハブＨに巻き取るための機能も有している。
【００１８】
図１に示すように、テープ貼付装置２０は、カートリッジケースＣを設置するケース設置部２１と、テープ供給装置１０から供給される磁気テープＭＴをカートリッジケースＣまで搬送するテープ先端部搬送手段２２と、を備えて構成される。
【００１９】
ケース設置部２１は、例えば、パネルＰのおよそ右下に配置されている。このケース設置部２１には、磁気テープＭＴの引出口である開口部Ｃ１を左下に向けた状態でカートリッジケースＣが設置される。
【００２０】
図２は、テープ先端部搬送手段の斜視図である。
図２に示すように、テープ先端部搬送手段２２は前後長の長いブロックである。テープ先端部搬送手段２２は、ケース設置部２１に設置されるカートリッジケースＣの開口部Ｃ１から水平方向にずれた位置に設置され（図１参照）、テープ供給装置１０から供給される磁気テープＭＴの先端部ＭＴ１付近を吸着して搬送する機能を有する。そのため、テープ先端部搬送手段２２は、図示しないエアシリンダ等の駆動手段によって、開口部Ｃ１からカートリッジケースＣの内部に移動可能に構成されている。
【００２１】
テープ先端部搬送手段２２の上面側には、先端側（カートリッジケースＣ寄り）から、スポンジ載置部２３と、第１の吸着部２４（保持部）と、第２の吸着部２５が形成されており、第１の吸着部２４と第２の吸着部２５の間にはスポンジ２７（弾性部材）が配設される設置部２６が形成されている。
【００２２】
スポンジ載置部２３は、コの字状に形成され、スポンジ２８（第１のスポンジ）を載置される。このスポンジ載置部２３は、例えば、メタノール、エタノール、ＩＰＡ（イソプロパノール）等の貼付用のアルコール（液体）をその内部に供給されるように構成されており、スポンジ２８には常に適量のアルコールが滲み込むようになっている。
【００２３】
スポンジ２８は、スポンジ載置部２３から少し突出する高さを有する矩形状のものを用いる。このスポンジ２８は、カートリッジケースＣ内のリールＣＲのハブＨにアルコールを塗布するためのものである。そのため、吸水性、保水性の他、乾燥時に柔軟性を失わず、ウェット時に寸法変化を起こさず（膨潤率１０％以下が望ましい）、アルコール等の薬品に耐性（耐薬品性）があることが好ましい。例えば、特殊ウレタンを原料とするもの（アイオン株式会社製  製品名ソフラス等）が挙げられる。スポンジ２８は、乾燥時に柔軟性を有することで、アルコールに浸した直後であっても磁気テープＭＴの表面にアルコールを容易に塗布することができる。また、ウェット時に寸法変化を起こさないことで、アルコールを塗布する範囲がずれることなく、不要の場所にアルコールが付着することがない。さらに、耐薬品性を有することで、変形が無く、繰り返し使用することができる。
【００２４】
第１の吸着部２４には、複数の孔Ｈ１が開口している。この孔Ｈ１は、テープ先端部搬送手段２２のブロック内で一本の通路に集結され、この通路にホース、切替弁等を介して真空ポンプおよびコンプレッサが接続される。磁気テープＭＴの搬送時には、真空ポンプに接続された状態で、孔Ｈ１は磁気テープＭＴを真空吸着できる。また、コンプレッサに接続されるように切替弁で切り替えることで、孔Ｈ１は、磁気テープＭＴをハブＨに吹き付けることができる。
【００２５】
また、第２の吸着部２５にも同様に、複数の孔Ｈ２が開口している。この孔Ｈ２は、テープ先端部搬送手段２２のブロック内で一本の通路に集結され、この通路にホース、ソレノイドバルブ等を介して真空ポンプが接続される。磁気テープＭＴの搬送時には、真空ポンプに接続された状態で、孔Ｈ２も磁気テープＭＴを真空吸着できる。
【００２６】
設置部２６は、設置面２６ａと、この設置面２６ａから第１の吸着部２４または第２の吸着部２５に連続する面取り部２６ｂ，２６ｂとから溝状に形成される。この設置面２６ａの幅Ａは１１ｍｍ以下、長さＢは１９ｍｍ以上、深さＣは０．５ｍｍ以上が望ましい。幅Ａを磁気テープＭＴの幅（１／２インチ＝１２．７ｍｍ）以下にすることで、カートリッジケースＣ内のリールフランジとの干渉を防止する。また、長さＢ、深さＣを前記のように設定することで、設置面２６ａとハブＨの接触時に、面取り部２６ｂがハブＨに接触するのを防止する。
【００２７】
設置部２６の設置面２６ａには、スポンジ２７がビスＶで固定されている。もちろん、両面テープや接着剤等、種々の固定手段で固定するものであってもよい。
スポンジ２７は、テープ先端部搬送手段２２をハブＨに向けて上昇させたときに、磁気テープＭＴをハブＨに押し付ける部分である。スポンジ２７で押し付けることで、ハブに塗布されたアルコールが磁気テープＭＴに馴染むとともに、ハブＨの形状に沿って磁気テープＭＴが押し付けられる。スポンジ２７は、前記したスポンジ２８と同様の材質のものを使用することができる。
【００２８】
なお、このテープ先端部搬送手段２２は、磁気テープＭＴを真空吸着する孔Ｈ１，Ｈ２および通路をその内部に形成されるだけなので、薄く仕上ることができ、カートリッジケースＣの開口部Ｃ１の大きさに合わせて小さく形成することができる。
【００２９】
以下、テープ貼付装置の動作について説明する。図３は、本実施形態のテープ貼付装置の動作説明図である。
図３（ａ）に示すように、まず、磁気テープＭＴを図示しない真空ポンプからテープ先端部搬送手段２２の孔Ｈ１，Ｈ２（図２参照）に真空吸着させる。そして、図３（ｂ）に示すように、テープ先端部搬送手段２２をそのまま水平方向に移動させ、スポンジ２８をカートリッジケースＣ内のハブＨに接触させる。こうすることで、ハブＨにスポンジ２８に滲み込んだ適量のアルコールが塗布される。
【００３０】
図３（ｃ）に示すように、テープ先端部搬送手段２２をさらに前進させて、設置部２６がハブＨの下方に位置するまで移動させる。そして、図３（ｄ）に示すように、ハブＨを回転させつつ、テープ先端部搬送手段２２を上方に移動させて、例えば、０．００５ＭＰａの押付力で、磁気テープＭＴをハブＨに押し付ける。こうすることで、図３（ｄ）の右側に拡大して示すように、ハブＨに塗布されたアルコールが磁気テープＭＴに馴染むとともに、ハブＨに形状に沿って磁気テープＭＴが押し付けられる。また、同時に、孔Ｈ２には磁気テープＭＴを真空吸着させたまま、孔Ｈ１の真空吸着を解除して孔Ｈ１に圧縮エアを供給することで、磁気テープＭＴの先端部ＭＴ１をハブＨに吹き付ける。こうすることで、先端部ＭＴ１がハブＨに貼り付けられる。
【００３１】
その後、図３（ｅ）に示すように、テープ先端部搬送手段２２を少し下方に下げて、カートリッジケースＣ内から後退させる。このようにして、磁気テープＭＴをハブＨに貼り付ける作業を完了する。
【００３２】
以上によれば、本実施形態において、以下の効果を得ることができる。
スポンジ２８をハブＨに接触させるものであるため、常に適量のアルコールを塗布することができる。そのため、アルコール量の多少による磁気テープＭＴの剥がれ等を防止できる。
【００３３】
また、スポンジ２７で、ハブＨに磁気テープＭＴを押し付けるため、ハブに塗布されたアルコールが磁気テープＭＴに馴染むとともに、ハブＨの形状に沿って磁気テープＭＴがハブＨに押し付けられる。そのため、磁気テープＭＴをハブＨに確実に貼り付けることができる。
【００３４】
さらに、テープ先端部搬送手段２２にスポンジ載置部２３を設けていることで、従来のように、アルコール塗布手段を別途設ける必要がなく、簡易な機構にすることができる。
【００３５】
以上、本発明の実施形態について説明したが、本発明は前記実施形態には限定されない。例えば、本実施形態では、磁気テープＭＴのワインダ装置に適用した場合について説明したが、テープをリールのハブに貼り付ける必要がある種々の装置に適用することができる。
【図面の簡単な説明】
【００３６】
【図１】本発明の貼付装置が設置されたワインダの概略図である。
【図２】テープ先端部搬送手段の斜視図である。
【図３】本実施形態の貼付装置の動作説明図である。
【符号の説明】
【００３７】
１      貼付装置
１０    テープ供給装置
２０    テープ貼付装置
２１    ケース設置部
２２    テープ先端部搬送手段
２３    スポンジ載置部
２４    第１の吸着部
２５    第２の吸着部
２６    設置部
２６ａ  設置面
２６ｂ  面取り部
２７    スポンジ
２８    スポンジ
３０    ブレード装置
４０    クリーニング装置
５０    張力調整装置
６０    カートリッジケース供給部
７０    カートリッジケース排出部
８０    テープガイド
Ｃ      カートリッジケース
Ｃ１    開口部
ＣＲ    リール
Ｈ      ハブ
Ｈ１    孔
Ｈ２    孔
ＭＴ    磁気テープ
ＭＴ１  先端部
Ｐ      パネル
Ｒ１    リール
Ｒ２    リール
Ｖ      ビス
Ｗ      テープワインダ
【図１】
2005322353.tif 000003
【図２】
2005322353.tif 000004
【図３】
2005322353.tif 000005